【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
ハウジングと、
前記ハウジングの内部に配置された電動モーターと、
前記モーターにより駆動されるように前記モーターに操作可能な状態で結合された切断ブレードと、
前記切断ブレードを囲むシュー組立体とを備え、
前記ハウジングは、前記モーターを囲む前方部分と、前記ハウジングの前記前方部分の長手軸線から外側にオフセットし且つユーザーが握ることができる長細いハンドル部分とを有し、その結果、前記ジョイナーを使用するときに前記ユーザーの手の指の配置が前記ハウジングの前記前方部分のすぐ後方で前記前方部分に沿ってほぼ直列状態になるジョイナー。
【請求項２】
前記長細いハンドル部分は、スティックハンドル部分を備え、
前記スティックハンドル部分が前記外側にオフセットされることにより、前記ハウジングの前記前方部分と同軸の中心線を通り、前記モーターの回転軸を通って延びた長手方向の軸線に沿って前記指を十分に配置することができる請求項１に記載のジョイナー。
【請求項３】
前記長細いハンドル部分は、それぞれ前記ハウジングの前記前方部分から延びたスティックハンドル部分と環状部分とを備えた請求項１に記載のジョイナー。
【請求項４】
前記スティックハンドル部分は、前記電動モーターに操作可能な状態で結合され且つ前記ジョイナーを操作するときにユーザーの手の指に係合できるように配置された引金スイッチを含む請求項３に記載のジョイナー。
【請求項５】
さらに前記電動モーターを駆動させるために前記ハウジングに結合された取外し可能なバッテリーパックを備えた請求項１に記載のジョイナー。
【請求項６】
前記ハウジングの前記前方部分は、前記電動モーターを囲むための環状の単一部材部分を形成する請求項１に記載のジョイナー。
【請求項７】
前記長細いハンドル部分は、２部材のクラムシェル式構造物を備えた請求項１に記載のジョイナー。
【請求項８】
前記環状部分は、前記スティックハンドル部分にほぼ平行に延びた請求項３に記載のジョイナー。
【請求項９】
前記ハウジングは、前記長細いハンドル部分により前記前方部分から分離された後方部分を含み、
前記後方部分は、前記ジョイナーが使用されていないときに加工表面で前記ハウジングの支持を助けるように前記前方部分を越えて外側に延びた請求項１に記載のジョイナー。
【請求項１０】
前方部分とハンドル部分とを有するハウジングと、
前記ハウジングの前記前方部分の内部に配置された電動モーターと、
前記電動モーターを駆動するためのバッテリーパックと、
前記電動モーターにより駆動される切断ブレードと、
前記切断ブレードを囲むために前記ハウジングの前記前方部分に固定されたシュー組立体とを備え、
前記ハウジングの前記ハンドルは、ユーザーが握ることができ、かつ前記前方部分の長手方向の軸線から外側にオフセットされたスティックハンドル部分を有し、その結果、当該ジョイナーを操作させながら前記ユーザーが前記ハンドル部分を握っているときに前記ユーザーの指を前記ハウジングの前記前方部分の長手方向の軸線に沿って隣接した位置に配置し、前記ユーザーが前記ハウジングの前記前方部分の長手方向の軸線にほぼ沿って前記手の力を作用させることができるジョイナー。
【請求項１１】
さらに前記ハウジングは、該ハウジングの前方部分から外側にオフセットし且つ前記スティックハンドル部分にほぼ平行に延びる環状部分を備えた請求項１０に記載のジョイナー。
【請求項１２】
前記ハウジングは、前記環状部分と前記スティックハンドル部分とを繋いでいる後方部分を含み、さらに前記後方部分は、前記後方部分上に前記バッテリーパックを支持する請求項１１に記載のジョイナー。
【請求項１３】
前記バッテリーパックは、前記ハウジングの前記後方部分に取外し可能な状態で固定できる請求項１２に記載のジョイナー。
【請求項１４】
前記ハウジングの前記スティックハンドル部分は、該スティックハンドル部分を握っているときに前記ユーザーの指によって係合可能な引金スイッチを含む請求項１０に記載のジョイナー。
【請求項１５】
さらに、フェンス組立体と該フェンス組立体に固定された前方ハンドルとを含み、前記前方ハンドルは、当該ジョイナーの操作時に前記ユーザーの一方の手で握ることが可能である請求項１０に記載のジョイナー。
【請求項１６】
長細い前方部分と、それぞれ前記前方部分から延びたスティックハンドル部分と環状のハンドル部分とを有するハウジングを備え、
少なくとも前記スティックハンドル部分は、前記前方部分から外側にオフセットされ、
かつ前記スティックハンドル部分と前記環状のハンドル部分とは、前記ユーザーの指を通すことができる環状部分を形成するように前記ハウジングの後方部分により繋がれ、
さらに、前記ハウジングの前記前方部分の内部に配置された電動モーターと、
前記電動モーターにより駆動される切断工具とを備えたジョイナー。
【請求項１７】
さらに、前記電動モーターに電力を供給するための前記ハウジングの前記後方部分に取外し可能な状態で固定できるバッテリーパックを備えた請求項１６に記載のジョイナー。
【請求項１８】
前記スティックハンドル部分は、前記電動モーターを駆動させるＯＮ／ＯＦＦ引金を含む請求項１６に記載のジョイナー。
【請求項１９】
前記スティックハンドル部分は、前記ユーザーが一方の手で前記スティックハンドル部分を握るときに、前記ユーザーの指を前記ハウジングの前記前方部分の長手方向の軸線にほぼ沿って配置するために十分な角度だけオフセットされた請求項１６に記載のジョイナー。
【請求項２０】
前記スティックハンドル部分と前記環状のハンドル部分とは、それぞれ前記ハウジングの前記前方部分から外側にオフセットされる請求項１６に記載のジョイナー。
【請求項２１】
両側の端部分を有する主ハウジングと、
前記主ハウジングの内部の電動モーターと、
前記モーターに結合されかつ前記モーターにより駆動可能な切断ブレードと、
前記主ハウジングの第一の端部分に結合されたシュー組立体と、
前記主ハウジングの第二の端部分に形成されたハンドルとを備え、
前記ハンドルは、スティックハンドル部分と環状部分とを有し、
さらに、前記ハンドルの前記環状部分と前記スティックハンドル部分とを繋いだバッテリーパックを備えたコードレスプレートジョイナー。
【請求項２２】
さらに、前記ハウジングは、前記スティックハンドル部分と前記環状部分とを繋いでいる後方部分を備え、
前記バッテリーパックは、前記後方部分に取外し可能な状態に固定された請求項２１に記載のコードレスジョイナー。
【請求項２３】
前記スティックハンドル部分は、前記スティックハンドル部分がユーザーの手によって握られたときに前記手の指が前記主ハウジングとほぼ同軸の中心線を通って延びる長手軸線とほぼ同一直線上に配置されるように、前記主ハウジングから外側にオフセットされ且つ前記主ハウジングとほぼ平行に延びる請求項２１に記載のコードレスジョイナー。
【請求項２４】
前記スティックハンドル部分は、前方の円状部分を含む請求項２１に記載のコードレスジョイナー。
【請求項２５】
前記スティックハンドル部分は、前記ユーザーが前記スティックハンドル部分を握っている前記ユーザーの指によって係合可能な引金スイッチを含む請求項２１に記載のジョイナー。
【請求項２６】
さらに、前記主ハウジングの前記第一端部分またはその近傍に固定され、前記ジョイナーの操作時に前記ユーザーの他方の手で握ることができる前方ハンドルを備えた請求項２１に記載のジョイナー。